(57)【特許請求の範囲】
【請求項１】
内側開閉体に固定され、レバーを有した係止金具を軸を介して回動自在に取り付けると共に空掛け防止部材を内部に設けた施錠装置本体と、この施錠装置本体の前記係止金具に対向する位置の外側開閉体に設けられたフック金具を有し、前記内側開閉体と前記外側開閉体とが正常な施錠位置にある時に、前記レバーの回動操作により前記係止金具を前記フック金具に係止・離脱させて施錠・解錠すると共に、前記両開閉体が正常な施錠位置にない時に、前記空掛け防止部材により前記レバーの施錠方向の回動操作を阻止するようにしたクレセント錠を備えたサッシにおいて、
前記施錠装置本体内に、自己発電する圧電発電機構と、この圧電発電機構により起動されて施錠・解錠確認信号を送信する送信機と、この送信機の無線信号の施解錠情報を制御する施解錠確認センサとを備え、前記クレセント錠を回動操作する時にのみ前記圧電発電機構を発電させると共に前記送信機を起動させて前記施解錠確認センサを介して該送信機から施錠・解錠確認信号を送信するように構成すると共に、前記空掛け防止部材は、前記レバーの回動操作により突出するトリガーを備え、該トリガーは、施錠装置本体の側壁開口部から外側に突出するように構成されていることを特徴とするクレセント錠を備えたサッシ。
【発明の詳細な説明】
【技術分野】
【０００１】
本発明は、例えば、建物の窓や扉等の内側及び外側開閉体に取り付けられるクレセント錠（レバー式施錠装置）を備えたサッシに関し、特に、空掛け状態を確実に防止することができるクレセント錠を備えたサッシに係わる。
【背景技術】
【０００２】
例えば、内障子および外障子が正常閉鎖位置にあるとき以外にはハンドル（レバー）が施錠方向に回動しないようにしたクレセント錠を備えたサッシが提案されている（例えば、特許文献１，２参照）。このクレセント錠を備えたサッシは、外障子側へ突出した状態でハンドルの回動を阻止している突出部を有しており、内障子および外障子を閉鎖したときに該突出部が外障子の枠部に接触して没入することにより、ハンドルの回動阻止状態が解除されるように構成されている。
【０００３】
【特許文献１】実公昭５７−５２３０３号公報
【０００４】
【特許文献２】実開昭５８−２５４６７号公報
【発明の開示】
【発明が解決しようとする課題】
【０００５】
前記従来のクレセント錠を備えたサッシでは、空掛け防止を確実に行うことができるが、その状態を確認できるシステムになっていないため、外出時等にその都度ハンドルを回動操作して施錠状態を確認しなければならなかった。これに対処するに、クレセント錠に施解錠確認センサ等を外付けしたものが開発されているが、外部電源や配線工事等が必要不可欠となり、コスト高であった。
【０００６】
本発明は、かかる現状に鑑み創案されたものであって、所謂空掛け防止を簡易な構成で確実かつ自動的に防止することができると共に、外出時等に施錠確認を正確かつ簡単に行うことができる安価なクレセント錠を備えたサッシを提供することを目的とする。
【課題を解決するための手段】
【０００７】
上記目的を達成するため、請求項１の発明は、内側開閉体に固定され、レバーを有した係止金具を軸を介して回動自在に取り付けると共に空掛け防止部材を設けた施錠装置本体と、この施錠装置本体の前記係止金具に対向する位置の外側開閉体に設けられたフック金具を有し、前記内側開閉体と前記外側開閉体とが正常な施錠位置にある時に、前記レバーの回動操作により前記係止金具を前記フック金具に係止・離脱させて施錠・解錠すると共に、前記両開閉体が正常な施錠位置にない時に、前記空掛け防止部材により前記レバーの施錠方向の回動操作を阻止するようにしたクレセント錠を備えたサッシにおいて、前記施錠装置本体内に、自己発電する圧電発電機構と、この圧電発電機構により起動されて施錠・解錠確認信号を送信する送信機と、この送信機の無線信号の施解錠情報を制御する施解錠確認センサとを備え、前記クレセント錠を回動操作する時にのみ前記圧電発電機構を発電させると共に前記送信機を起動させて前記施解錠確認センサを介して該送信機から施錠・解錠確認信号を送信するように構成すると共に、前記空掛け防止部材は、前記レバーの回動操作により突出するトリガーを備え、該トリガーは、施錠装置本体の側壁開口部から外側に突出するように構成されていることを特徴とするものである。
【発明の効果】
【０００９】
請求項１の発明によれば、内側開閉体と外側開閉体とが正常な施錠位置にある時に、空掛け防止部材が機能してレバーの施錠方向の回動操作を許容する一方、両開閉体が正常な施錠位置にない時に、空掛け防止部材が機能してレバーの施錠方向の回動操作を阻止するようにしたことにより、内側開閉体側のレバーの係止金具の空掛けを確実に防止することができ、また、空掛け防止機構と圧電発電機構と送信機、施解錠確認センサーをひとつの施錠装置本体内に納めたので、外観がよくコンパクトに構成することができる。
【００１０】
また、施錠装置本体内に、自己発電する圧電発電機構と、この圧電発電機構により起動されて施錠・解錠確認信号を送信する送信機と、この送信機の無線信号の施解錠情報を制御する施解錠確認センサとを備え、クレセント錠を回動操作する時にのみ圧電発電機構を発電させると共に送信機を起動させて施解錠確認センサを介して該送信機から施錠・解錠確認信号を送信するようにしたことにより、施錠・解錠確認を簡単かつ確実に行うことができる。
【発明を実施するための最良の形態】
【００１２】
以下、本発明の一実施形態を図面に基づいて説明する。
【００１３】
図１は本発明の一実施形態のクレセント錠を備えたサッシの取付状態を示す引き違い戸の正面図、図２は同クレセント錠のレバー開状態の内部構造を示す説明図、図３は同クレセント錠の要部の拡大説明図、図４は同クレセント錠の要部の斜視図、図５〜図９は同クレセント錠の正常な施錠状態までの手順を示す説明図、図１０は同レバーの閉状態を示す説明図、図１１〜図１６は同クレセント錠の空掛け防止状態までの手順を示す説明図、図１７は正常な施錠時にレバーを施錠方向に回動操作して正しい施錠確認信号を送信できる状態を示す説明図である。
【００１４】
図１〜図１７に示すように、クレセント錠（レバー式施錠装置）１０は、サッシの引き違い戸１の内障子（内側開閉体）２の枠部２ａに固定され、レバー１３を有した係止金具１４を軸１２を介して回動自在に取り付けると共に、トリガー（空掛け防止部材）１５をスライド移動自在に設けた施錠装置本体１１と、この施錠装置本体１１の係止金具１４に対向する位置の外障子（外側開閉体）３の枠部３ａに固定されたフック金具４及び該フック金具４に併設されたトリガー受け板（空掛け防止受け部材）５とを備え、内障子２の枠部２ａと外障子３の枠部３ａとが重なり合う正常な施錠位置にある時に、レバー１３の回動操作により係止金具１４をフック金具４のフック片部４ａに係止・離脱させて施錠・解錠すると共に、両枠部２ａ，３ａが正常な施錠位置にない時に、トリガー１５及び後述するロックディスク（ロック部材）１６及びリンク機構２０を介してレバー１３の施錠方向の回動操作を阻止するようになっている。
【００１５】
図２及び図３に示すように、施錠装置本体１１は箱形に形成してあり、その内部に軸１２を突出させると共に回動自在に支持してある。この軸１２にはロックディスク（ロック部材）１６を固定してあると共に、ドライブ体２２を回転自在に支持してある。このドライブ体２２はワッシャ２７を介して抜け止め自在に取り付けてある。図４に示すように、ロックディスク１６の上部には大径歯部１６ａを一体形成してある。また、ドライブ体２２の下部には小径歯部２２ｂを一体突出形成してある。これらロックディスク１６の大径歯部１６ａ及びドライブ体２２の小径歯部２２ｂは、施錠装置本体１１に軸１８を介して回転自在に支持された二段ギヤ１７の小径歯部１７ａ及び大径歯部１７ｂにそれぞれ噛合している。この二段ギヤ１７の下段の小径歯部１７ａと上段の大径歯部１７ｂは一体形成してある。この下段の小径歯部１７ａの歯数は例えば３４になっていると共に、上段の大径歯部１７ｂの歯数は例えば４４になっている。さらに、ロックディスク１６の大径歯部１６ａの歯数は例えば３４になっていると共に、ドライブ体２２の小径歯部２２ｂの歯数は例えば２４になっている。これらにより、ドライブ体２２はロックディスク１６と同様に軸１２に直接固定されておらず、二段ギヤ１７を介してロックディスク１６に連動しているため、例えば、上記歯数の比である４４：２４のギヤ比で動きに差が出るようになっている。
【００１６】
また、図２及び図３に示すように、施錠装置本体１１内には、後述するリンク機構２０を介してロックディスク１６に連係するカム板（カム部材）１９を支軸２１に揺動自在に支持してある。そして、このカム板１９のＶ字状のカム溝１９ａにトリガー１５の円柱状のピン１５ａを摺動自在にさせてあり、このカム板１９が支軸２１を介して揺動することによりトリガー１５の先端部１５ｂが施錠装置本体１１の内外に進退動するようになっている。
【００１７】
そして、図５〜図９に示すように、内，外障子２，３の両枠部２ａ，３ａが正常な施錠位置にある時に、トリガー１５の先端部１５ｂを施錠装置本体１１の側壁の開口部１１ａより外側に突出させてトリガー受け板５に当接させることで、カム板１９の揺動を阻止して該カム板１９がロック位置まで移動することを阻止し、レバー１３の施錠方向Ａの回動操作を許容するようになっている。また、図１，図１１〜図１６に示すように、内，外障子２，３の両枠部２ａ，３ａが正常な施錠位置にない時に、施錠装置本体１１の外側に突出したトリガー１５の先端部１５ｂはトリガー受け板５に当接しないため、カム板１９の揺動を阻止しない。図１５に示すように、カム板１９の先端の円弧状の凸部１９ｂがロックディスク１６の円弧状の凹部１６ｂを係止し、即ち、カム板１９がロックディスク１６をロックしてレバー１３の施錠方向Ａの回動操作を阻止するようになっている。
【００１８】
図２〜図４に示すように、リンク機構２０は、軸１２に回転自在に支持されると共に、両側に規制部２２ａ，２２ａを有した略半円形のドライブ体２２と、カム板１９を揺動自在に支持した支軸２１に揺動自在に支持されると共に、ドライブ体２２の両側の規制部２２ａ，２２ａに当接・離反自在にされたリンクカム２３と、このリンクカム２３の中央の凹部２３ｂに一端２４ａを係止させて該リンクカム２３を所定方向に付勢すると共に、他端２４ｂをトリガー１５の円弧状の凸部１５ｃに係止させて該トリガー１５の先端部１５ｂを施錠装置本体１１の外側に突出する方向に付勢する捩りコイルバネ２４と、施錠装置本体１１の係止部１１ｂに一端２５ａを係止させると共に、他端２５ｂをカム板１９の底辺部１９ｃに係止させて該カム板１９を矢印Ｄ方向に付勢する捩りコイルバネ２５とで構成されている。
【００１９】
図２及び図３に示すように、リンクカム２３の先端部２３ａは略三角形状に形成してあり、その一方の面にカム板１９の傾斜辺部１９ｄに摺動する突起２３ｃを一体突出形成してある。また、リンクカム２３の基部２３ｄは円形になっており、その中央部を支軸２１に貫通させている。
【００２０】
また、引き違い戸１の内，外障子２，３の両枠部２ａ，３ａはアルミニウム製である。さらに、図２〜図４に示すように、二段ギヤ１７には引っ張りコイルバネ２９の一端を係止してあり、この引っ張りコイルバネ２９の引っ張り力によりレバー１３は戻る方向に常に付勢されるようになっている。さらに、図２，図３，図１７に示すように、ドライブ体２２の中央には棒状の殴打部２２ｃを一体突出形成してある。
【００２１】
さらに、図２及び図１７に示すように、施錠装置本体１１内には、自己発電する圧電発電機構３０と、この圧電発電機構３０により起動されて施錠・解錠確認信号を送信する送信機４０と、この送信機４０の無線信号の施解錠情報を制御する施解錠確認センサ５０とを備えている。
【００２２】
図１７に示すように、圧電発電機構３０は、板状に形成されて歪み変形を供与することで発電する圧電セラミックス体３１と、基部材３２を介して施錠装置本体１１に固定された棒状の弾性支持体３３と、この棒状の弾性支持体３３の両端部にそれぞれ固定された一対の鋼球３４，３５とで構成されている。そして、この一対の鋼球３４，３５の一方の鋼球３４にレバー１３の回動操作により衝撃を付与することで、該一対の鋼球３４，３５の他方の鋼球３５が共振作用によって振動を連続して繰り返して圧電セラミックス体３１を複数回殴打することにより送信機４０の起動に必要な電力を自己発電するようになっている。即ち、図１７に示すように、レバー１３の施錠方向Ａの回動操作によるドライブ体２２の回動によって殴打部２２ｃが一方の鋼球３４を殴打すると、圧電セラミックス体３１が自己発電して必要な電力を直ちに供給することができるようになっており、この際に、送信機４０を起動させて施解錠確認センサ５０を介して該送信機４０からクレセント錠装置１０が正しく施錠されたという信号を受信機４５に送信するようになっている。また、図９に示すように、レバー１３が解錠方向（施錠を解除される方向）Ａ′に回動操作されても発電作動が行なわれ、送信機４０を起動させて施解錠確認センサ５０を介して該送信機４０からクレセント錠装置１０のロック状態が解除されたという信号を受信機４５に送信するようになっている。
【００２３】
図１７に示すように、送信機４０は、施錠装置本体１１内に取り付けられた送信モジュール４１と、送信用のアンテナ４２とで構成されている。そして、送信モジュール４１から出力された施錠・解錠確認信号の無線信号はアンテナ４２から受信機４５に送信されるようになっている。
【００２４】
また、図９，図１０，図１７に示すように、施解錠確認センサ５０は、施錠装置本体１１内の二段ギヤ１７の近傍に取り付けられたリードスイッチ５１と、二段ギヤ１７に埋設されたマグネット５２とで構成されている。そして、この二段ギヤ１７に埋め込まれたマグネット５２の位置をリードスイッチ５１によって検出することで施錠・解錠確認信号を送信するように制御されるようになっている。即ち、施錠確認信号は、マグネット５２の位置が図１０に示す位置（リードスイッチ５１に接近した位置）になると、リードスイッチ５１がＯＮされて送信されるようになっている。また、解錠確認信号は、マグネット５２の位置が図９に示す位置（リードスイッチ５１から離れた位置）になると、リードスイッチ５１がＯＦＦされて送信されるようになっている。
【００２５】
以上実施形態のクレセント錠１０を備えたサッシによれば、図２に示すように、内，外障子２，３の両枠部２ａ，３ａが正常な施錠位置にある時に、図５に示すように、レバー１３を施錠方向Ａに閉操作すると、ドライブ体２２が矢印Ｂ方向に回転する。これにより、リンク機構２０のリンクカム２３がドライブ体２２の一方の規制部２２ａに当たりながら矢印Ｃ方向に回転すると共に、カム板１９の傾斜辺部１９ｄがリンクカム２３の突起２３ｃに当たりながら該カム板１９が矢印Ｄ方向に揺動する。このカム板１９の揺動により、該カム板１９のカム溝１９ａを介してトリガー１５が矢印Ｅ方向に移動し、トリガー１５の先端部１５ｂが施錠装置本体１１の側壁の開口部１１ａより外側に突出する。
【００２６】
そして、図６に示すように、トリガー１５の先端部１５ｂがトリガー受け板５に当接する。この当接により、図７に示すように、トリガー１５の矢印Ｅ方向の移動が停止するため、カム板１９の矢印Ｄ方向の揺動が停止する。この際に、カム板１９の先端の円弧状の凸部１９ｂがロックディスク１６の円弧状の凹部１６ｂから離れているため、レバー１３の施錠方向Ａの閉操作は許容され、図７中矢印で示すように、リンクカム２３からドライブ体２２の一方の規制部２２ａが離れて行く。
【００２７】
次に、図８に示すように、レバー１３が施錠方向Ａに更に閉操作されると、ドライブ体２２の他方の規制部２２ａがリンクカム２３の先端部２３ａに当たる。そして、図９に示すように、捩りコイルバネ２４の付勢力に抗してその撓みによりリンクカム２３が矢印Ｆ方向に揺動して逃げるため、レバー１３の施錠方向Ａの更なる閉操作は許容される。これにより、図１０に示すように、レバー１３の閉操作が終了すると、レバー１３の係止金具１４がフック金具４のフック片部４ａに係止されて施錠（ロック）される。
【００２８】
このレバー１３の係止金具１４がフック金具４のフック片部４ａに係止されて施錠される際に、図１０及び図１７に示すように、レバー１３の施錠方向Ａの回動操作により圧電発電機構３０が発電されると共に送信機４０が起動され、施解錠確認センサ５０を介して送信機４０のアンテナ４２から施錠確認信号が受信機４５に送信される。また、これとは逆に、図９に示すように、レバー１３の係止金具１４がフック金具４のフック片部４ａから離脱して解錠される際に、レバー１３の解錠方向Ａ′の回動操作により圧電発電機構３０が発電されると共に送信機４０が起動され、施解錠確認センサ５０を介して送信機４０のアンテナ４２から解錠確認信号が受信機４５に送信される。
【００２９】
また、図１，図１１に示すように、内，外障子２，３の両枠部２ａ，３ａが正常な施錠位置にない時に、レバー１３を施錠方向Ａに閉操作すると、ドライブ体２２が矢印Ｂ方向に回転する。これにより、リンク機構２０のリンクカム２３がドライブ体２２の一方の規制部２２ａに当たりながら矢印Ｃ方向に回転すると共に、カム板１９の傾斜辺部１９ｄがリンクカム２３の突起２３ｃに当たりながら該カム板１９が矢印Ｄ方向に揺動する。このカム板１９の揺動により、該カム板１９のカム溝１９ａを介してトリガー１５が矢印Ｅ方向に移動し、トリガー１５の先端部１５ｂが施錠装置本体１１の側壁の開口部１１ａより外側に突出する。
【００３０】
この際、図１２に示すように、施錠装置本体１１の側壁の開口部１１ａより外側に突出したトリガー１５の先端部１５ｂがトリガー受け板５に当たらないため、図１３に示すように、レバー１３を施錠方向Ａに更に閉操作すると、ドライブ体２２が矢印Ｂ方向に回転する。これにより、リンクカム２３がドライブ体２２の一方の規制部２２ａに当たりながら矢印Ｃ方向に更に回転すると共に、カム板１９の傾斜辺部１９ｄがリンクカム２３の突起２３ｃに当たりながら該カム板１９が矢印Ｄ方向に更に揺動する。
【００３１】
そして、図１４に示すように、レバー１３を施錠方向Ａに更に閉操作すると、ドライブ体２２が矢印Ｂ方向に回転する。これにより、リンクカム２３がドライブ体２２の一方の規制部２２ａに当たりながら矢印Ｃ方向に更に回転すると共に、カム板１９の傾斜辺部１９ｄがリンクカム２３の突起２３ｃに当たりながら該カム板１９が矢印Ｄ方向に更に揺動する。
【００３２】
また、図１４，図１５，図１６に示すように、レバー１３の施錠方向Ａへの更なる閉操作により、ロックディスク１６が矢印Ｈ方向に回転するため、該ロックディスク１６の円弧状の凹部１６ｂがカム板１９の先端の円弧状の凸部１９ｂに係止される。これにより、カム板１９がロックディスク１６をロックするため、レバー１３の施錠方向Ａの閉操作は阻止され、レバー１３の係止金具１４の空掛けが確実に防止される。
【００３３】
さらに、クレセント錠１０を備えたサッシによれば、図１０及び図１７に示すように、施錠装置本体１１内に、自己発電する圧電発電機構３０と、この圧電発電機構３０により起動されて施錠・解錠確認信号を送信する送信機４０と、この送信機４０の無線信号の送信を制御する施解錠確認センサ５０とを備えたことにより、内，外障子２，３の両枠部２ａ，３ａが正常な施錠位置にある状態から内障子２側のレバー１３の係止金具１４が外障子３側のフック金具４のフック片部４ａに係止されて施錠される際に、レバー１３の施錠方向Ａの回動操作により圧電発電機構３０を発電させると共に、送信機４０を起動させて施解錠確認センサ５０を介して該送信機４０のアンテナ４２から施錠確認信号を受信機４５に送信することができる。これにより、内，外障子２，３の両枠部２ａ，３ａが正常な施錠位置にあって内障子２側のレバー１３の係止金具１４が外障子３側のフック金具４のフック片部４ａに係止されて施錠される時にのみ送信機４０のアンテナ４２から施錠確認信号を受信機４５に送信することができる。その結果、外出時等に受信機４５側のモニタ等により施錠確認を簡単かつ確実に行うことができる。
【００３４】
即ち、内，外障子２，３の両枠部２ａ，３ａが正常な施錠位置にある状態では、レバー１３の回動操作によるドライブ体２２の回動によって殴打部２２ｃが殴打することで、該一対の鋼球３４，３５の他方の鋼球３５が共振作用によって振動を連続して繰り返して圧電セラミックス体３１を殴打することにより送信機４０の起動に必要な電力が自己発電されるが、内，外障子２，３の両枠部２ａ，３ａが正常な施錠位置にないときには、カム板１９がロックディスク１６をロックしてレバー１３の施錠方向Ａの回動操作が阻止され、圧電発電機構３０が動作しないため、施錠確認信号が受信機４５に送信されることはない。これにより、外出時に受信機４５側のモニタ等により施錠確認を簡単かつ確実に行うことができる。
【００３５】
また、図９に示すように、内障子２側のレバー１３の係止金具１４が外障子３側のフック金具４のフック片部４ａから離脱して解錠される際に、レバー１３の解錠方向Ａ′の回動操作により圧電発電機構４０を発電させると共に、送信機４０を起動させて施解錠確認センサ５０を介して該送信機４０のアンテナ４２から解錠確認信号を受信機４５に送信することができる。
【００３６】
さらに、圧電発電機構３０を、板状に形成されて歪み変形を供与することで発電する圧電セラミックス体３１と、基部材３２を介して施錠装置本体１１内に固定された棒状の弾性支持体３３と、この棒状の弾性支持体３３の両端部にそれぞれ固定された一対の鋼球３４，３５とで構成し、この一対の鋼球３４，３５の一方の鋼球３４をレバー１３の回動操作によるドライブ体２２の回動によって殴打部２２ｃが殴打することで、該一対の鋼球３４，３５の他方の鋼球３５が共振作用によって振動を連続して繰り返して圧電セラミックス体３１を殴打することにより送信機４０の起動に必要な電力を自己発電するようにしたので、外部電源に頼ることなく、正しい施錠・解錠確認信号を確実に受信機４５に送信することができる。これにより、外部電源及び配線工事が不要となり、非常に高いセキュリティ性能を有する施錠・解錠確認システムを低コストで簡単に実現させることができる。
【００３７】
尚、前記実施形態によれば、クレセント錠を建物のサッシに装着される引き違い戸の内外障子の枠部に取り付けた場合につてい説明したが、縦すべり窓、開き戸の扉、雨戸、観音開きの扉や窓、天窓等に適用しても良いことは勿論である。また、空掛け防止受け部材をフック金具に併設した場合について説明したが、フック金具本体が空掛け防止受け部材を兼ねたり、或いは、空掛け防止受け部材を外側開閉体の枠部内のガラス等に取り付けても良い。さらに、空掛け防止機能を持ったクレセント錠に施解錠確認センサ等を別途取り付けても良いことは勿論である。
【図面の簡単な説明】
【００３８】
【図１】本発明の一実施形態のクレセント錠を備えたサッシの取付状態を示す引き違い戸の正面図である。
【図２】上記クレセント錠のレバー開状態の内部構造を示す説明図である。
【図３】上記クレセント錠の要部の拡大説明図である。
【図４】上記クレセント錠の要部の斜視図である。
【図５】上記クレセント錠の正常な施錠時の初期状態を示す説明図である。
【図６】上記正常な施錠時において空掛け防止部材がその受け部材に当たった状態を示す説明図である。
【図７】上記正常な施錠時のレバーを施錠方向の回動を許容する初期の状態を示す説明図である。
【図８】上記レバーの係止金具がフック金具に係止する初期状態を示す説明図である。
【図９】上記レバーの係止金具がフック金具に係止した途中の状態を示す説明図である。
【図１０】上記レバーの閉状態を示す説明図である。
【図１１】上記クレセント錠の空掛け防止時の初期状態を示す説明図である。
【図１２】上記空掛け防止時において空掛け防止部材の先端部が外側に突出した状態を示す説明図である。
【図１３】上記空掛け防止時において空掛け防止部材の先端部が内部に退避した状態を示す説明図である。
【図１４】上記空掛け防止時においてレバーがロックされる前の状態を示す説明図である。
【図１５】上記空掛け防止時においてレバーがロックされる直前の状態を示す説明図である。
【図１６】上記空掛け防止時においてレバーがロックされた状態を示す説明図である。
【図１７】上記正常な施錠時に上記レバーを施錠方向に回動操作して正しい施錠確認信号を送信できる状態を示す説明図である。
【符号の説明】
【００３９】
２  内障子（内側開閉体）
２ａ  枠部
３  外障子（外側開閉体）
３ａ  枠部
４  フック金具
５  トリガー受け板（空掛け防止受け部材）
１０  クレセント錠
１１  施錠装置本体
１２  軸
１３  レバー
１４  係止金具
１５  トリガー（空掛け防止部材）
１５ｂ  先端部
１６  ロックディスク（ロック部材）
１７  二段ギヤ
１９  カム板（カム部材）
２０  リンク機構
２１  支軸
２２  ドライブ体
２２ａ，２２ａ  両側の規制部
２３  リンクカム
２４  捩りコイルバネ
２４ａ  一端
２４ｂ  他端
３０  圧電発電機構
３１  圧電セラミックス体
３２  基部材
３３  弾性支持体
３４，３５  一対の鋼球
３４  一方の鋼球
３５  他方の鋼球
４０  送信機
５０  施解錠確認センサ
Ａ  施錠方向
Ａ′  解錠方向
【図１】
0004765046.tif 000002
【図２】
0004765046.tif 000003
【図３】
0004765046.tif 000004
【図４】
0004765046.tif 000005
【図５】
0004765046.tif 000006
【図６】
0004765046.tif 000007
【図７】
0004765046.tif 000008
【図８】
0004765046.tif 000009
【図９】
0004765046.tif 000010
【図１０】
0004765046.tif 000011
【図１１】
0004765046.tif 000012
【図１２】
0004765046.tif 000013
【図１３】
0004765046.tif 000014
【図１４】
0004765046.tif 000015
【図１５】
0004765046.tif 000016
【図１６】
0004765046.tif 000017
【図１７】
0004765046.tif 000018